(57)【要約】【課題】  互いに異なる数の蓄電素子で構成された複数の蓄電ブロックを、回路の電源として用いると、回路の動作に伴って蓄電素子の電圧にバラツキが発生してしまう。【解決手段】  蓄電装置（２０）は、複数の蓄電素子が電気的に直列に接続された第１蓄電ブロック（Ｂ１）と、第１蓄電ブロックよりも少ない数の蓄電素子が電気的に直列に接続された第２蓄電ブロック（Ｂ２）とを有する。第１回路（５１）は、第１蓄電ブロックに接続されており、第１蓄電ブロックからの電力を受けて動作する。第２回路（５２）は、第２蓄電ブロックに接続されており、第２蓄電ブロックからの電力を受けて動作する。コントローラ（６０）は、第１回路および第２回路のそれぞれを一定の時間間隔で動作させる。コントローラは、所定時間当たりの第２回路の動作回数を、所定時間当たりの第１回路の動作回数よりも少なくした状態で第１回路および第２回路を動作させる。【選択図】  図１
2012090400.tif 000002
【特許請求の範囲】
【請求項１】
複数の蓄電素子が電気的に直列に接続された第１蓄電ブロックと、前記第１蓄電ブロックよりも少ない数の蓄電素子が電気的に直列に接続された第２蓄電ブロックとが電気的に接続された蓄電装置と、
前記第１蓄電ブロックに接続され、前記第１蓄電ブロックからの電力を受けて動作する第１回路と、
前記第２蓄電ブロックに接続され、前記第２蓄電ブロックからの電力を受けて動作する第２回路と、
前記第１回路および前記第２回路のそれぞれを一定の時間間隔で動作させるコントローラと、を有し、
前記コントローラは、所定時間当たりの前記第２回路の動作回数を、前記所定時間当たりの前記第１回路の動作回数よりも少なくすることを特徴とする蓄電システム。
【請求項２】
前記コントローラは、下記式（Ｉ）を満たす条件で前記第１回路および前記第２回路を動作させる、
Ｎ１：Ｎ２＝Ｆ１：Ｆ２  ・・・（Ｉ）
ここで、Ｎ１は、前記第１蓄電ブロックを構成する前記蓄電素子の総数、Ｎ２は、前記第２蓄電ブロックを構成する前記蓄電素子の総数、Ｆ１は、前記第１回路の前記動作回数、Ｆ２は、前記第２回路の前記動作回数である、
ことを特徴とする請求項１に記載の蓄電システム。
【請求項３】
前記第１回路は、前記第１蓄電ブロックを構成する前記各蓄電素子の電圧を検出する回路であり、
前記第２回路は、前記第２蓄電ブロックを構成する前記各蓄電素子の電圧を検出する回路であることを特徴とする請求項１又は２に記載の蓄電システム。
【請求項４】
前記第１蓄電ブロックおよび前記第２蓄電ブロックは、電気的に直列に接続されており、
前記コントローラは、同一のタイミングで動作した前記第１回路および前記第２回路の検出電圧を用いて、前記第１蓄電ブロックおよび前記第２蓄電ブロックの総電圧を算出することを特徴とする請求項３に記載の蓄電システム。
【請求項５】
前記コントローラは、前記所定時間が経過したタイミングで得られた前記第１回路および前記第２回路の検出電圧を用いて、前記総電圧を算出することを特徴とする請求項４に記載の蓄電システム。
【請求項６】
複数の蓄電素子が電気的に直列に接続された第１蓄電ブロックと、前記第１蓄電ブロックよりも少ない数の蓄電素子が電気的に直列に接続された第２蓄電ブロックとが電気的に接続された蓄電装置と、前記第１蓄電ブロックに接続され、前記第１蓄電ブロックからの電力を受けて動作する第１回路と、前記第２蓄電ブロックに接続され、前記第２蓄電ブロックからの電力を受けて動作する第２回路と、を有する蓄電システムで用いられる制御方法であって、
所定時間当たりの前記第２回路の動作回数が、前記所定時間当たりの前記第１回路の動作回数よりも少ない状態で前記第１回路および前記第２回路を動作させることを特徴とする制御方法。
【請求項７】
下記式（ＩＩ）を満たす条件で前記第１回路および前記第２回路を動作させる、
Ｎ１：Ｎ２＝Ｆ１：Ｆ２  ・・・（ＩＩ）
ここで、Ｎ１は、前記第１蓄電ブロックを構成する前記蓄電素子の数、Ｎ２は、前記第２蓄電ブロックを構成する前記蓄電素子の数、Ｆ１は、前記第１回路の前記動作回数、Ｆ２は、前記第２回路の前記動作回数である、
ことを特徴とする請求項６に記載の制御方法。
【請求項８】
前記第１蓄電ブロックおよび前記第２蓄電ブロックは、電気的に直列に接続されており、
同一のタイミングで動作した前記第１回路および前記第２回路の検出電圧を用いて、前記第１蓄電ブロックおよび前記第２蓄電ブロックの総電圧を算出することを特徴とする請求項６又は７に記載の制御方法。
【発明の詳細な説明】
【技術分野】
【０００１】
本発明は、互いに異なる数の蓄電素子で構成された蓄電ブロックのそれぞれから電力を受けて動作する回路を有する蓄電システムに関する。
【背景技術】
【０００２】
特許文献１には、組電池の総電圧を検出する電圧センサと、組電池を構成する各単電池の電圧を検出するセルＩＣとを設けた構成が記載されている。セルＩＣは、複数設けられており、各セルＩＣは、４つの単電池と接続されている。
【先行技術文献】
【特許文献】
【０００３】
【特許文献１】特開２００９−０４２０７１号公報（段落０００８、図１等）
【特許文献２】特開２０００−２７０４９２号公報
【特許文献３】特開２０００−２８７３７０号公報
【発明の概要】
【発明が解決しようとする課題】
【０００４】
特許文献１に記載された構成において、セルＩＣの動作電源として、セルＩＣが接続された単電池を用いることがある。特許文献１の構成では、各セルＩＣの動作電源として、４つの単電池を用いることができる。ここで、セルＩＣが接続される単電池の総数が、すべてのセルＩＣにおいて等しければ、セルＩＣの動作に伴う単電池の電圧降下量を略等しくすることができる。一方、セルＩＣと接続される単電池の総数が、セルＩＣによって異なるときには、セルＩＣの動作に伴う単電池の電圧降下量にバラツキが発生してしまうことがある。
【０００５】
単電池の電圧降下量にバラツキが発生すると、単電池の充電率（ＳＯＣ、State Of Charge）にバラツキが発生してしまう。単電池のＳＯＣにバラツキが発生したままの状態において、組電池の充放電を続ければ、単電池の内部抵抗にバラツキが発生してしまうおそれがある。この場合には、組電池を構成するすべての単電池を寿命に到達するまで使用し続けることができなくなってしまうおそれがある。
【課題を解決するための手段】
【０００６】
本願第１の発明である蓄電システムは、蓄電装置と、蓄電装置に接続された第１回路および第２回路と、第１回路および第２回路を動作させるコントローラとを有する。蓄電装置は、複数の蓄電素子が電気的に直列に接続された第１蓄電ブロックと、第１蓄電ブロックよりも少ない数の蓄電素子が電気的に直列に接続された第２蓄電ブロックとを有し、第１蓄電ブロックおよび第２蓄電ブロックは、電気的に接続されている。
【０００７】
第１回路は、第１蓄電ブロックに接続されており、第１蓄電ブロックからの電力を受けて動作する。第２回路は、第２蓄電ブロックに接続されており、第２蓄電ブロックからの電力を受けて動作する。コントローラは、第１回路および第２回路のそれぞれを一定の時間間隔で動作させる。ここで、コントローラは、所定時間当たりの第２回路の動作回数を、所定時間当たりの第１回路の動作回数よりも少なくした状態で第１回路および第２回路を動作させる。言い換えれば、コントローラは、所定時間当たりの第１回路の動作回数を、所定時間当たりの第２回路の動作回数よりも多くした状態で第１回路および第２回路を動作させる。
【０００８】
コントローラは、下記式（Ｉ）を満たす条件で第１回路および第２回路を動作させることができる。
【０００９】
Ｎ１：Ｎ２＝Ｆ１：Ｆ２  ・・・（Ｉ）
ここで、Ｎ１は、第１蓄電ブロックを構成する蓄電素子の総数、Ｎ２は、第２蓄電ブロックを構成する蓄電素子の総数、Ｆ１は、第１回路の動作回数、Ｆ２は、第２回路の動作回数である。
【００１０】
第１回路としては、第１蓄電ブロックを構成する各蓄電素子の電圧を検出する回路を用いることができる。また、第２回路としては、第２蓄電ブロックを構成する各蓄電素子の電圧を検出する回路を用いることができる。
【００１１】
第１蓄電ブロックおよび第２蓄電ブロックが電気的に直列に接続されているときには、同一のタイミングで動作した第１回路および第２回路の検出電圧を用いて、第１蓄電ブロックおよび第２蓄電ブロックの総電圧を算出することができる。総電圧を算出するときには、同一のタイミングで検出された電圧だけを用いることにより、正確な総電圧を得ることができる。
【００１２】
例えば、所定時間が経過したタイミングで得られた第１回路および第２回路の検出電圧を用いて、総電圧を算出することができる。所定時間を第１回路や第２回路の動作回数で分割するときには、所定時間が経過する度に、第１回路および第２回路の動作タイミングを一致させることができる。このタイミングにおいて第１回路および第２回路で検出された電圧を加算すれば、正確な総電圧を得ることができる。
【００１３】
本願第２の発明である制御方法は、上述した蓄電システムにおいて、所定時間当たりの第２回路の動作回数が、所定時間当たりの第１回路の動作回数よりも少ない状態で第１回路および第２回路を動作させることを特徴とする。
【発明の効果】
【００１４】
本発明によれば、第１回路および第２回路の動作回数を、第１蓄電ブロックおよび第２蓄電ブロックを構成する蓄電素子の総数に応じて異ならせている。これにより、第１回路および第２回路の動作に伴う各蓄電素子の電圧降下量のバラツキを抑制することができる。
【図面の簡単な説明】
【００１５】
【図１】実施例１において、組電池を備えたシステムの構成を示す図である。
【図２】実施例１において、第１電圧監視ＩＣおよび第２電圧監視ＩＣの構成を示す図である。
【図３】実施例１において、第１電圧監視ＩＣおよび第２電圧監視ＩＣの駆動波形を示す図である。
【図４】実施例１において、第１電圧監視ＩＣおよび第２電圧監視ＩＣによって検出される電圧値の関係を示す図である。
【図５】実施例２において、組電池の電圧を検出するときの第１電圧監視ＩＣおよび第２電圧監視ＩＣの動作タイミングを説明する図である。
【図６】実施例２の変形例において、組電池の電圧を検出するときの第１電圧監視ＩＣおよび第２電圧監視ＩＣの動作タイミングを説明する図である。
【発明を実施するための形態】
【００１６】
以下、本発明の実施例について説明する。
【実施例１】
【００１７】
本発明の実施例１である蓄電システムについて、図１を用いて説明する。図１に示すシステムは、組電池２０を電源として用い、負荷４０を動作させるものである。
【００１８】
組電池（蓄電装置）２０は、電気的に直列に接続された複数の単電池（蓄電素子）１０を有する。単電池１０としては、ニッケル水素電池やリチウムイオン電池といった二次電池を用いることができる。また、二次電池の代わりに、電気二重層キャパシタを用いることができる。組電池２０を構成する単電池１０の数は、例えば、組電池２０の要求出力に基づいて、適宜設定することができる。組電池２０は、リレー３１，３２を介して、負荷４０に接続されている。リレー３１，３２がオン状態であれば、組電池２０の電力が負荷４０に供給される。また、リレー３１，３２がオフ状態であれば、組電池２０から負荷４０に供給される電力が遮断される。
【００１９】
組電池２０を車両に搭載するときには、負荷４０としてモータ・ジェネレータを用いることができる。モータ・ジェネレータは、車輪と接続されており、組電池２０からの電力を受けることにより、車両を走行させるための運動エネルギを発生させることができる。また、車両を減速させたり、停止させたりするときには、モータ・ジェネレータは、車両の制動時に発生する運動エネルギを電気エネルギに変換する。組電池２０は、モータ・ジェネレータで生成された電気エネルギを蓄えることができる。
【００２０】
組電池２０およびモータ・ジェネレータの間に、ＤＣ／ＤＣコンバータやインバータを設けることもできる。ＤＣ／ＤＣコンバータを用いれば、組電池２０の出力電圧を昇圧してからモータ・ジェネレータに供給することができる。また、モータ・ジェネレータからの電圧を降圧してから組電池２０に供給することができる。インバータを用いれば、モータ・ジェネレータとして、交流モータ（例えば、三相交流モータ）を用いることができる。組電池２０が搭載された車両としては、ハイブリッド自動車や電気自動車がある。ハイブリッド自動車は、車両の動力源として、組電池２０に加えて、燃料電池や内燃機関を備えた車両である。電気自動車は、車両の動力源として、組電池２０だけを用いた車両である。
【００２１】
組電池２０には、第１電圧監視ＩＣ５１および第２電圧監視ＩＣ５２が接続されている。第１電圧監視ＩＣ５１は、複数設けられている。各第１電圧監視ＩＣ５１は、単電池１０の電圧を検出し、検出結果をコントローラ６０に出力する。図２に示すように、第１電圧監視ＩＣ５１は、単電池１０毎に設けられた電圧検出ライン７５を介して、各単電池１０の端子間電圧を検出する。
【００２２】
第１電圧監視ＩＣ５１は、切替回路５１ａおよびＡ／Ｄ変換器５１ｂを有する。Ａ／Ｄ変換器５１ｂは、検出電圧をデジタル信号に変換して、コントローラ６０に出力する。切替回路５１ａは、コントローラ６０からの制御信号に基づいて、Ａ／Ｄ変換器５１ｂからコントローラ６０への出力タイミングを設定する。
【００２３】
第１電圧監視ＩＣ５１と接続される単電池１０の数は、すべての第１電圧監視ＩＣ５１において等しくなっている。本実施例では、第１電圧監視ＩＣ５１は、３つの単電池１０と接続されている。ここで、第１電圧監視ＩＣ５１が接続された複数の単電池１０のグループを、第１電池ブロック（第１蓄電ブロックに相当する）Ｂ１という。第１電池ブロックＢ１の数は、適宜設定することができる。本実施例において、組電池２０には、複数の第１電池ブロックＢ１が含まれている。
【００２４】
図２に示すように、第１電圧監視ＩＣ５１は、電源ライン７１，７２を介して、第１電池ブロックＢ１からの電力を受けて動作する。第１電圧監視ＩＣ５１の動作に応じて、第１電池ブロックＢ１に含まれる各単電池１０の電圧値が低下する。
【００２５】
第２電圧監視ＩＣ５２は、単電池１０の電圧を検出し、検出結果をコントローラ６０に出力する。図２に示すように、第２電圧監視ＩＣ５２は、単電池１０毎に設けられた電圧検出ライン７５を介して、各単電池１０の端子間電圧を検出する。第２電圧監視ＩＣ５２は、切替回路５２ａおよびＡ／Ｄ変換器５２ｂを有する。Ａ／Ｄ変換器５２ｂは、検出電圧をデジタル信号に変換して、コントローラ６０に出力する。切替回路５２ａは、コントローラ６０からの制御信号に基づいて、Ａ／Ｄ変換器５２ｂからコントローラ６０への出力タイミングを設定する。
【００２６】
第２電圧監視ＩＣ５２と接続される単電池１０の数は、第１電圧監視ＩＣ５１と接続される単電池１０の数よりも少なくなっている。本実施例では、第２電圧監視ＩＣ５２は、２つの単電池１０と接続されている。ここで、第２電圧監視ＩＣ５２が接続された複数の単電池１０のグループを、第２電池ブロック（第２蓄電ブロックに相当する）Ｂ２という。第２電池ブロックＢ２の数は、適宜設定することができる。図２に示すように、第２電圧監視ＩＣ５２は、電源ライン７３，７４を介して、第２電池ブロックＢ２からの電力を受けて動作する。第２電圧監視ＩＣ５２の動作に応じて、第２電池ブロックＢ２に含まれる各単電池１０の電圧値が低下する。
【００２７】
第１電圧監視ＩＣ５１および第２電圧監視ＩＣ５２は、消費電力が等しくなるが、電源となる単電池１０の数が異なる。本実施例では、第１電圧監視ＩＣ５１の電源となる第１電池ブロックＢ１は、３つの単電池１０で構成されており、第２電圧監視ＩＣ５２の電源となる第２電池ブロックＢ２は、２つの単電池１０で構成されている。
【００２８】
このため、各単電池１０の電圧降下量は、第１電池ブロックＢ１および第２電池ブロックＢ２の間で異なる。第１電圧監視ＩＣ５１および第２電圧監視ＩＣ５２を同一の回数（言い換えれば、同一のタイミング）で動作させると、第１電池ブロックＢ１に含まれる単電池１０の電圧値と、第２電池ブロックＢ２に含まれる単電池１０の電圧値との差が広がり、組電池２０を構成する単電池１０の電圧値にバラツキが発生してしまう。具体的には、第２電池ブロックＢ２に含まれる単電池１０の電圧降下量は、第１電池ブロックＢ１に含まれる単電池１０の電圧降下量よりも大きくなってしまう。
【００２９】
そこで、本実施例では、第１電圧監視ＩＣ５１および第２電圧監視ＩＣ５２の動作条件を異ならせることにより、単電池１０の電圧値のバラツキを抑制するようにしている。具体的には、以下に説明するように、第１電圧監視ＩＣ５１および第２電圧監視ＩＣ５２の動作タイミング（すなわち、電圧値の検出タイミング）を決定している。
【００３０】
第１電池ブロックＢ１を構成する単電池１０の総数をＮ１とし、第２電圧ブロックＢ２を構成する単電池１０の総数をＮ２とする。また、第１電圧監視ＩＣ５１の動作頻度をＦ１とし、第２電圧監視ＩＣ５２の動作頻度をＦ２とする。動作頻度は、所定時間当たりの各電圧監視ＩＣ５１，５２の動作回数である。
【００３１】
単電池１０の総数Ｎ１，Ｎ２と動作頻度Ｆ１，Ｆ２は、以下の関係式（１），（２）を満たしている。
【００３２】
Ｎ１：Ｎ２＝Ｆ１：Ｆ２  ・・・（１）
Ｎ１×Ｆ２＝Ｎ２×Ｆ１  ・・・（２）
【００３３】
本実施例では、Ｎ１が３個であり、Ｎ２が２個であるため、例えば、Ｆ１を３［回／時間］とし、Ｆ２を２［回／時間］とすることができる。この場合には、図３に示す駆動波形に沿って、第１電圧監視ＩＣ５１および第２電圧監視ＩＣ５２を動作させることができる。なお、動作頻度Ｆ１，Ｆ２は、式（２）を満たす範囲内で他の値とすることができる。
【００３４】
図３における上側の駆動波形は、第１電圧監視ＩＣ５１を動作させるタイミングを示しており、所定時間ｔの間に、３つの駆動パルスを発生させている。ここで、駆動パルスの間隔は、一定であり、ｔ／３に設定されている。図３における下側の駆動波形は、第２電圧監視ＩＣ５２を動作させるタイミングを示しており、所定時間ｔの間に、２つの駆動パルスを発生させている。ここで、駆動パルスの間隔は、一定であり、ｔ／２に設定されている。所定時間ｔは、適宜設定することができ、例えば、１秒とすることができる。
【００３５】
図３に示すように、第１電圧監視ＩＣ５１および第２電圧監視ＩＣ５２を動作させることにより、第２電圧監視ＩＣ５２の動作頻度を、第１電圧監視ＩＣ５１の動作頻度よりも少なくすることができる。言い換えれば、第１電圧監視ＩＣ５１の動作頻度を、第２電圧監視ＩＣ５２の動作頻度よりも多くすることができる。このように動作頻度を異ならせることにより、第１電圧監視ＩＣ５１の動作に伴う第１電池ブロックＢ１内の単電池１０の電圧降下量と、第２電圧監視ＩＣ５２の動作に伴う第２電池ブロックＢ２内の単電池１０の電圧降下量とのバラツキを抑制することができる。電圧降下量のバラツキを抑えれば、単電池１０のＳＯＣのバラツキを抑えることができ、組電池２０を構成する、すべての単電池２０を効率良く使用することができる。
【００３６】
なお、本実施例では、式（２）を満たす範囲内において、動作頻度Ｆ１，Ｆ２を設定しているが、これに限るものではない。すなわち、第２電圧監視ＩＣ５２の動作頻度を、第１電圧監視ＩＣ５１の動作頻度よりも少なくすればよい。言い換えれば、第１電圧監視ＩＣ５１の動作頻度を、第２電圧監視ＩＣ５２の動作頻度よりも多くすればよい。ここで、本実施例のように、式（２）に基づいて動作頻度Ｆ１，Ｆ２を設定することにより、第１電池ブロックＢ１に含まれる単電池１０の電圧値と、第２電池ブロックＢ２に含まれる単電池１０の電圧値とのバラツキを効率良く抑制することができる。
【００３７】
本実施例では、組電池２０を、２種類の電池ブロック（第１電池ブロックＢ１および第２電池ブロックＢ２）で構成しているが、これに限るものではない。例えば、組電池２０を、３種類以上の電池ブロックで構成することができる。３種類以上の電池ブロックでは、各電池ブロックを構成する単電池１０の総数が互いに異なっている。３種類以上の電池ブロックを用いた場合には、電池ブロックを構成する単電池１０の総数に応じて、各電池ブロックに接続された電圧監視ＩＣの動作頻度を設定すればよい。具体的には、単電池１０の総数が最も多い電池ブロックに接続された電圧監視ＩＣの動作頻度を最も高くし、単電池１０の総数が最も少ない電池ブロックに接続された電圧監視ＩＣの動作頻度を最も低くすることができる。そして、電池ブロックを構成する単電池１０の総数が減少するほど、電圧監視ＩＣの動作頻度を低くすることができる。
【００３８】
また、本実施例では、第１電池ブロックＢ１および第２電池ブロックＢ２が電気的に直列に接続されることにより、組電池２０が構成されているが、これに限るものではない。具体的には、複数の電池ブロックが電気的に並列に接続されることにより、組電池２０が構成されている場合においても、本発明を適用することができる。
【００３９】
さらに、本実施例では、第１電池ブロックＢ１および第２電池ブロックＢ２に対して電圧監視ＩＣ５１，５２を接続しているが、これに限るものではない。すなわち、第１電池ブロックＢ１や第２電池ブロックＢ２に接続され、第１電池ブロックＢ１や第２電池ブロックＢ２を電源として用いる回路であれば、本発明を適用することができる。
【実施例２】
【００４０】
本発明の実施例２であるシステムについて説明する。実施例１では、第１電圧監視ＩＣ５１の動作頻度と、第２電圧監視ＩＣ５２の動作頻度とを、第１電池ブロックＢ１や第２電池ブロックＢ２を構成する単電池１０の総数に応じて異ならせている。第１電圧監視ＩＣ５１や第２電圧監視ＩＣ５２の動作頻度が異なると、互いに異なるタイミングにおいて、単電池１０の電圧が検出されることがある。
【００４１】
図４に示すように、第１電圧監視ＩＣ５１は、第１電池ブロックＢ１に含まれる各単電池１０の電圧値を検出できるため、これらの電圧値を積算すれば、第１電池ブロックＢ１の端子間電圧Ｖ１を得ることができる。また、第２電圧監視ＩＣ５２は、第２電池ブロックＢ２に含まれる各単電池１０の電圧値を検出できるため、これらの電圧値を積算すれば、第２電池ブロックＢ２の端子間電圧Ｖ２を得ることができる。
【００４２】
また、端子間電圧Ｖ１，Ｖ２を積算すれば、第１電池ブロックＢ１および第２電池ブロックＢ２の総電圧（すなわち、組電池２０の総電圧）を得ることができる。ここで、第１電圧監視ＩＣ５１および第２電圧監視ＩＣ５２の動作タイミングが異なってしまうと、正確な総電圧を得ることができなくなってしまうおそれがある。この点について、図５を用いて具体的に説明する。
【００４３】
図５の上側に示すグラフは、端子間電圧Ｖ１の挙動を示しており、縦軸は、端子間電圧Ｖ１であり、横軸は、時間である。実施例１で説明した動作頻度によれば、ｔ／３の時間が経過する度に、第１電圧監視ＩＣ５１による電圧検出が行われる。図５の下側に示すグラフは、端子間電圧Ｖ２の挙動を示しており、縦軸は、端子間電圧Ｖ２であり、横軸は、時間である。実施例１で説明した動作頻度によれば、ｔ／２の時間が経過する度に、第２電圧監視ＩＣ５２による電圧検出が行われる。
【００４４】
図５に示すように、第１電圧監視ＩＣ５１の動作タイミングｔ／３と、第２電圧監視ＩＣ５２の動作タイミングｔ／２とは、時間軸上でずれており、この時間ずれの間で電圧値Ｖ１，Ｖ２も変化している。したがって、動作タイミングｔ／３で得られた電圧値Ｖ１と、動作タイミングｔ／２で得られた電圧値Ｖ２とを加算しても、正確な総電圧を得ることはできない。
【００４５】
そこで、本実施例では、組電池２０の総電圧を取得するときには、第１電圧監視ＩＣ５１および第２電圧監視ＩＣ５２の動作タイミングが一致しているときに検出された電圧値を用いるようにしている。図５に示す例では、所定時間ｔが経過したときのタイミングにおいて、第１電圧監視ＩＣ５１および第２電圧監視ＩＣ５２の動作タイミングが一致するようになっている。したがって、所定時間ｔが経過する度（ｔ、２ｔのタイミング）に、第１電圧監視ＩＣ５１および第２電圧監視ＩＣ５２によって検出された電圧値を積算すれば、組電池２０の総電圧を得ることができる。同一のタイミングで得られた電圧値を用いているため、正確な総電圧を算出することができる。
【００４６】
図５に示す例では、所定時間ｔを各電圧監視ＩＣ５１，５２の動作回数で分割することにより、各電圧監視ＩＣ５１，５２の動作タイミングを決定しているが、これに限るものではない。例えば、図６に示す動作タイミングに基づいて、第１電圧監視ＩＣ５１および第２電圧監視ＩＣ５２を動作させることができる。図６では、基準時間ｔを設定しており、時間「２ｔ」が経過する度に、第１電圧監視ＩＣ５１を動作させている。また、時間「３ｔ」が経過する度に、第２電圧監視ＩＣ５２を動作させている。
【００４７】
図６に示す例では、時間「６ｔ」が経過するまでの間において、第１電圧監視ＩＣ５１の動作回数は３回であり、第２電圧監視ＩＣ５２の動作回数は２回となる。時間「６ｔ」を所定時間とすると、第１電圧監視ＩＣ５１および第２電圧監視ＩＣ５２の動作頻度は、実施例１で説明した動作頻度と同様になる。
【００４８】
組電池２０の総電圧を算出するタイミングは、時間「ｔ６」が経過したときのタイミングとなる。時間「ｔ６」は、第１電圧監視ＩＣ５１の動作間隔「２ｔ」と、第２電圧監視ＩＣ５２の動作間隔「３ｔ」との公倍数となる。図６に示す例においても、同一のタイミングにおいて、第１電圧監視ＩＣ５１および第２電圧監視ＩＣ５２によって検出された電圧値を用いることにより、正確な総電圧を算出することができる。
【符号の説明】
【００４９】
１０：単電池（蓄電素子）                ２０：組電池（蓄電装置）
３１，３２：リレー                      ４０：負荷
５１：第１電圧監視ＩＣ（第１回路）      ５２：第２電圧監視ＩＣ（第２回路）
５１ａ，５２ａ：切替回路                ５１ｂ，５２ｂ：Ａ／Ｄ変換器
６０：コントローラ                      ７１，７２，７３，７４：電源ライン
７５：電圧検出ライン
Ｂ１：第１電池ブロック（第１蓄電ブロック）
Ｂ２：第２電池ブロック（第２蓄電ブロック）
【図１】
2012090400.tif 000003
【図２】
2012090400.tif 000004
【図３】
2012090400.tif 000005
【図４】
2012090400.tif 000006
【図５】
2012090400.tif 000007
【図６】
2012090400.tif 000008